(57)【要約】【課題】陳列効果を阻害すること無く、商品の陳列効率を向上させることができる低温ショーケースを提供する。【解決手段】低温ショーケース１は、商品２０を冷却しながら陳列する陳列室２内を透視可能な側板６を備える。側板６の外側に、商品２０を陳列する網状のラック１２を着脱可能に取り付ける。側板６とラック１２の双方に着脱可能に係合するスペーサ１５を設ける。ラック１２に着脱可能に係合して商品２０を吊り下げるためのフック１６を設ける。【選択図】　　　図２
2004105619.tif 000002
【特許請求の範囲】
【請求項１】
商品を冷却しながら陳列する陳列室内を透視可能な透明壁を備えた低温ショーケースにおいて、
前記透明壁の外側に、商品を陳列する透視可能なラックを着脱可能に取り付けたことを特徴とする低温ショーケース。
【請求項２】
前記陳列室の下方に機械室を備え、前記ラックを前記透明壁と間隔を存して取り付けると共に、前記機械室からの廃熱を前記透明壁とラック間に流すことを特徴とする請求項１の低温ショーケース。
【請求項３】
前記透明壁とラックの双方に着脱可能に係合するスペーサを備えることを特徴とする請求項２の低温ショーケース。
【請求項４】
前記ラックに着脱可能に係合して商品を吊り下げるためのフックを備えることを特徴とする請求項１、請求項２又は請求項３の低温ショーケース。
【発明の詳細な説明】
【０００１】
【発明の属する技術分野】
本発明は、商品を冷却しながら陳列する陳列室内を透視可能な透明壁を備えた低温ショーケースに関するものである。
【０００２】
【従来の技術】
現在、全国に多数の展開がみられるコンビニエンスストア等の小売店においては、限られた店舗内スペースで商品の陳列スペースをいかに拡大するかが経営のポイントとなってきている。この限られた店舗内スペースのなかで商品の陳列スペースを拡大するひとつの方法として日常の器具や道具などの所謂什器類の多機能化ということが考えられている。該什器類の多機能化として特に書籍類をショーケース本体の側面に立て掛けて販売しているものが挙げられる。
【０００３】
具体的には、ショーケース本体の側面に書籍類を立て掛けて陳列可能なステージを設けている。このステージには書籍類陳列部が複数段設けられると共に、書籍類陳列部の前面にワイヤ状のストッパが設けられ、このストッパによって書籍類陳列部に立て掛けた書籍類の前倒れを防止している。このようにショーケースの側面に設けたステージに書籍類を立て掛けて陳列することにより、ショーケース本体側面の有効利用が図られていた（特許文献１参照）。
【０００４】
【特許文献１】
特開２０００−７００８１（第５頁。）。
【０００５】
【発明が解決しようとする課題】
しかしながら、係る従来の陳列構造では、ショーケースの側面が透明壁（ガラスなど）で構成されている場合、当該側面からショーケース庫内を透視することができなくなるため、商品の販売訴求力が低下してしまう問題があった。
【０００６】
本発明は、係る従来技術の課題を解決するために成されたものであり、陳列効果を阻害すること無く、商品の陳列効率を向上させることができる低温ショーケースを提供することを目的とする。
【０００７】
【課題を解決するための手段】
即ち、本発明の低温ショーケースは、商品を冷却しながら陳列する陳列室内を透視可能な透明壁を備えたものであって、透明壁の外側に、商品を陳列する透視可能なラックを着脱可能に取り付けているので、冷却を必要としない商品をラックに陳列することにより、商品の陳列効率を大幅に向上させることが可能となる。
【０００８】
これにより、限られた店舗内スペースで商品の陳列スペースを拡大することができるようになると共に、ラックは低温ショーケースに着脱可能に取り付けられるので、既存の低温ショーケースにも比較的簡単に取り付けることが可能となり、ラックの汎用性大なるものである。
【０００９】
特に、ラックを透視可能に構成しているので、ラック側から透明壁を介して低温ショーケースの陳列室内が透視可能となる。従って、低温ショーケースの陳列室内に陳列した商品の陳列効果にも支障は生じないものである。
【００１０】
また、請求項２の発明の低温ショーケースは、上記に加えて、陳列室の下方に機械室を備え、ラックを透明壁と間隔を存して取り付けると共に、機械室からの廃熱を透明壁とラック間に流すようにしているので、機械室からの廃熱を透明壁とラック間を通して円滑に上昇させ、廃棄することができるようになる。これにより、機械室内の温度上昇を回避し、冷却能力の改善を図ることが可能となる。また、透明壁外面への結露や曇り等も防止することができるようになり、陳列室内の視認性も向上させることができるものである。
【００１１】
更に、請求項３の発明の低温ショーケースは、請求項２に加えて、透明壁とラックの双方に着脱可能に係合するスペーサを備えているので、スペーサを透明壁とラックの双方に係合させるだけの簡単な作業で低温ショーケースの透明壁外側にラックを取り付けることができる。これにより、透明壁とラックの間隔を容易且つ確実に保持することが可能となると共に、ラックの着脱も容易に行うことができるようになるものである。
【００１２】
更にまた、請求項４の発明の低温ショーケースは、上記各発明に加えて、ラックに着脱可能に係合して商品を吊り下げるためのフックを備えているので、ラックに対するフックの取付位置を容易に変更することができるようになる。これにより、商品の寸法に合わせてフック位置を変更することが可能となり、限られた店舗内のスペースを極めて有効に活用して、販売ロスを軽減することができるようになるものである。
【００１３】
【発明の実施の形態】
次に、図面に基づき本発明の実施形態を詳述する。図１は本発明を適用した一実施例の低温ショーケース１の斜視図、図２は低温ショーケース１に商品２０を吊り下げた状態を示す図、図３は低温ショーケース１の縦断正面図をそれぞれ示している。
【００１４】
実施例の低温ショーケース１は、例えばドリンク剤やコーヒー、茶などの飲料（商品）を冷却しながら陳列するもので、前面が開口する陳列室２と、この陳列室２の下方に構成された機械室３を備えている。この機械室３には図示しない冷却サイクルを構成する凝縮器、凝縮器用送風機、圧縮機が設置される。
【００１５】
上記陳列室２内には上下方向に所定の間隔で複数段（本実施例では６段）の商品陳列棚２Ａが架設されている。また、陳列室２の背面には断熱壁５、両側には透明ガラス、或いは、透明なアクリルなどの合成樹脂から構成された透視可能な透明壁としての側板６、６が設けられ、これらが陳列室２を囲繞している。尚、６Ａは側板６周囲のフレームである。
【００１６】
図中４は、機械室３の廃熱を排出するためのダクトボックスで、機械室３の両側に突出して設けられている。各ダクトボックス４、４の上面前後にはラック枠支持孔１０が設けられており、このラック枠支持孔１０は機械室３から離間した位置の前後隅部に設けられている。また、４Ａは機械室３内の廃熱を排出するための排気孔、ダクトボックス４の上面に形成されている。機械室３の背面や底面から機械室３内に外気が吸い込まれ、機械室３内で熱交換して高温となった空気は、この排気孔４Ａから側板６、６と後述するラック１２、１２間に流出する。
【００１７】
上記側板６、６の外側にはラック１２がそれぞれ着脱可能に取り付けられる。このラック１２は周囲に設けられた支持枠１３と、この支持枠１３内に設けられた吊し網１４とから構成されている。吊し網１４は断面矩形状の金属棒からなる複数の横桟と複数の縦桟とを略直角に交差させて溶接固定することにより網状にしたもので、吊し網１４の端部は支持枠１３に溶接固定されている。これにより、ラック１２は外側から側板６側を透視可能とされている。また、前記支持枠１３及び吊し網１４の表面は合成樹脂などでコーティングされて、美観が向上されている。尚、吊し網１４の縦桟は断面略矩形状でなく丸棒であっても差し支えない。
【００１８】
また、支持枠１３の下端はダクトボックス４の上面に設けられた前記ラック枠支持孔１０に挿脱可能に挿入係合されており、支持枠１３の上端には、前記側板６（フレーム６Ａ）とラック１２の双方に着脱可能に係合するスペーサ１５が複数（本実施例では２個）設けられている。スペーサ１５は側板６とラック枠支持孔１０間の間隔分の寸法を有しており、両端には横面略コ字状の係合保持部１５Ａ、１５Ａが設けられている。両係合保持部１５Ａ、１５Ａは弾性を有しており、一方の係合保持部１５Ａはフレーム６Ａを上方から係合挟持且つ着脱可能に構成されると共に、他方の係合保持部１５Ａも支持枠１３を上方から係合挟持且つ着脱可能に構成されている。
【００１９】
そして、ラック１２は、支持枠１３の下端がラック枠支持孔１０に係合され、ラック１２の上縁と低温ショーケース１のフレーム６Ａの上端が上側からスペーサ１５の係合保持部１５Ａにて挟持係合された状態で低温ショーケース１の側面（側板６の外側）に取り付けられる。尚、ラック１２は全体として低温ショーケース１の側面形状と略合致した形状を呈しているものとする。また、ラック枠支持孔１０に支持枠１３の下端が挿入されて側板６の外側に取り付けられた状態で、ラック１２はスペーサ１５により側板６と所定の間隔を存する。この間隔は排気孔４Ａの上方に対応している。これによって、機械室３内で熱交換して高温となった空気は排気孔４Ａからラック１２と側板６との間に排出された後、上昇しながら側板６、６外面を暖め、最終的に低温ショーケース１上方に円滑に放散される。このとき、側板６、６外面への結露や曇りも解消される。
【００２０】
他方、ラック１２には冷却を必要としない商品２０（例えば使い捨てカメラなど）を吊り下げるためのフック１６が設けられ、このフック１６に商品２０がそれぞれ吊り下げられて陳列される。各フック１６は例えばステンレスなどの金属棒から構成され、所定の径、所定の長さを呈しており、一側には係合保持辺１６Ａが設けられると共に、他側には上側への傾斜辺１６Ｂが設けられている。係合保持辺１６Ａは、横面略コ字状に形成され、ラック１２の吊し網１４の複数の横桟の何れかに上側から着脱自在に係合可能に構成されている。この係合状態において、係合保持辺１６Ａは略水平に取り付けられる。
【００２１】
また、傾斜辺１６Ｂは係合保持辺１６Ａの先端側を水平より１０度〜４０度上方に傾斜させている。これによって、係合保持辺１６Ａが重量で側下に僅か反った場合などでも引っかけて吊した商品２０が落下しないように構成されている。尚、係合保持辺１６Ａの先端に傾斜辺１６Ｂを設けず、係合保持辺１６Ａ自体を約１０度乃至２０度の傾斜角度で先端側を上側に傾斜させて、引っかけて吊した商品２０が落下しないようにしても差し支えない。
【００２２】
尚、実施例での商品２０としては係合保持辺１６Ａに引っかけられるフック付きの袋に収納、或いは、係合保持辺１６Ａに挿入可能な穴の開いた袋に収納されたものが用いられる。そして、低温ショーケース１の側板６の外側に設けられたラック１２（係合保持辺１６Ａ）に商品２０が引っかけられて吊り下げられる。
【００２３】
この場合、係合保持片１６Ａには同一の商品２０が複数（本実施例では２個）吊り下げられる。そして、隣接する各商品２０間の隙間を最小限に少なくすると共に、表側の商品２０が重ならず個々の商品２０が確実に視認できるように形状、寸法に合わせてフック１６のラック１２への取り付け位置を選択する。これによって、商品２０は低温ショーケース１の側板６に対して垂下する。従って、顧客は吊り下げられている商品２０が何であるかを認識し易くなる。
【００２４】
そして、顧客が商品２０を購入する際は、商品２０を手で持ってフック１６から引き抜くだけで、フック１６に吊り下げられた商品２０を容易に取ることができる。このとき、ラック１２を網状に構成しているので、ラック１２に陳列した商品２０側からでも低温ショーケース１の陳列室２内を透視することができ、低温ショーケース１の陳列室２内の陳列効果にも悪影響を及ぼすことがない。
【００２５】
このように、低温ショーケース１には、側板６の外側に商品２０を陳列する網状のラック１２を着脱可能に取り付けているので、冷却を必要としない商品２０の陳列スペースを大幅に拡大することが可能となる。これにより、限られた店舗内スペースで商品２０の陳列スペースを拡大することができるようになる。また、網状のラック１２を低温ショーケース１に着脱可能に構成しているので、既存の低温ショーケースにも取り付けることが可能となり、ラック１２の汎用性大なるものである。
【００２６】
また、ラック１２を側板６と所定の間隔を存して取り付けているので、機械室３の排気孔４Ａから出た廃熱を側板６とラック１２間に流すことができる（図３黒矢印）。これにより、機械室３からの廃熱を側板６とラック１２間から円滑に上昇させて廃棄することが可能となり、機械室３内の温度上昇の妨げになることなく、冷却能力改善を図ることが可能となる。また、側板６外面への結露や曇り等を防止することが可能となるのは勿論のこと、ラック１２の表面への結露や商品２０の表面への結露及び曇りの発生も解消できる。
【００２７】
また、側板６とラック１２の双方に着脱可能に係合するスペーサ１５を備えているので、側板６とラック１２の両方上方からスペーサ１５を係合させるだけの簡単な取り付け作業で低温ショーケース１の側板６の外側にラック１２を取り付けることができる。これにより、側板６とラック１２の間隔を容易且つ確実に保持することが可能となると共に、ラック１２の着脱を容易に行うことができるようになる。
【００２８】
また、ラック１２に着脱可能なフック１６を備えており、このフック１６に商品２０を吊り下げられるようにしているので、フック１６をラック１２の任意の位置に取り付けることが可能となる。これにより、サイズの大きな商品２０、或いは、サイズの小さな商品２０に合わせてフック１６位置を変更することができ、大きな商品２０或いは小さな商品２０でもラック１２に吊り下げることができる。従って、限られた店舗内のスペースを極めて有効に活用することができるようになる。
【００２９】
次に、図４及び図５には本発明の他の実施例の低温ショーケース１Ａを示している。この場合の低温ショーケース１Ａは例えばドリンク剤などを冷却しながら陳列販売するものであり、全体としては縦長略矩形状を呈している。低温ショーケース１Ａは、前面に透明な開閉扉５７、後面及び両側面には透明ガラスから成る透視可能な透明壁５６、５６が設けられ、内部が陳列室５２とされている。
【００３０】
この陳列室５２の下方に図示しないが冷却サイクルを構成する凝縮器、凝縮器用送風機、圧縮機等が設置される機械室５３が構成されている。また、陳列室５２内には上下方向に所定の間隔で複数段（本実施例では４段）の商品陳列棚５２Ａが設けられている。尚、５６Ａは低温ショーケース１Ａの上下四隅及び上辺を縁取るフレーム、５８は扉５７を開閉するための把手である。
【００３１】
また、図中５４は機械室５３の廃熱を排出するダクトボックスで、機械室５３の両側に突出して設けられている。ダクトボックス５４の上面にはラック枠支持孔６０が設けられており、このラック枠支持孔６０は機械室５３から離間した位置の前後の隅部に形成されている。また、５４Ａは機械室５３内の廃熱を排出するための排気孔、ダクトボックス５４の上面に形成されている。機械室５３の背面や底面から機械室５３内に外気が吸い込まれ、機械室５３内で熱交換して高温となった空気は、この排気孔５４Ａから透明壁５６、５６と後述するラック６２、６２間に流出する。
【００３２】
そして、透明壁５６、５６の外側にはラック６２が着脱可能に設けられている。このラック６２周囲には支持枠６３が設けられており、支持枠６３内には前述の吊し網１４同様の吊し網６４が設けられている。このラック６２も、支持枠６３を低温ショーケース１Ａの側面に略合致した形状を呈しており、他は前述のラック１２同様に外側から透視可能に構成されている。
【００３３】
また、支持枠６３の下端はダクトボックス５４に設けられたラック枠支持孔６０に挿脱可能に挿入できるよう構成されており、支持枠６３の上端には、前記透明壁５６とラック６２の双方に着脱可能に係合する前述同様のスペーサ１５が複数（本実施例では２箇所）設けられている。該スペーサ１５の、一方の係合保持部１５Ａはフレーム５６Ａを上方から係合挟持して着脱可能に固定されると共に、他方の係合保持部１５Ａは支持枠６３を上方から係合挟持して着脱可能に固定される。
【００３４】
そして、ラック６２は、支持枠６３の下端がラック枠支持孔６０に係合され、ラック１２の上縁と低温ショーケース１Ａのフレーム５６Ａの上端が上側からスペーサ１５の係合保持部１５Ａにて挟持係合された状態で低温ショーケース１Ａの側面に取り付けられる。係る、ラック６２が透明壁５６の外側に取り付けられた状態で、ラック６２は透明壁５６と所定の間隔を存して取り付けられる。
【００３５】
また、ラック６２には商品２０を吊り下げるための前述同様のフック１６が複数取り付けられると共に、これらのフック１６に商品２０が引っかけ吊り下げられる。これによって、商品２０は低温ショーケース１Ａの透明壁６に対して垂下する。従って、顧客は前述同様吊り下げられている商品２０が何であるかを認識し易くなる。
【００３６】
そして、顧客が商品２０を購入する際は、商品２０を手で持ってフック１６から引き抜くだけで、フック１６に吊り下げられた商品２０を容易に取ることができる。このように、前述同様の効果を得ることができる。
【００３７】
尚、実施例ではダクトボックス４にラック枠支持孔１０を設け、このラック枠支持孔１０にラック１２を係合させたが、ダクトボックス４に設けられた排気孔４Ａを利用してラック１２を係合させるようにしても差し支えない。この場合、ラック枠支持孔１０は不要となり、既存の低温ショーケース１にラック枠支持孔１０を加工せずにそのまま利用することができる。
【００３８】
また、ラック１２の吊し網１４（横桟）を断面略矩形状の金属棒にて説明したが、吊し網１４の横桟は断面略矩形状の金属棒でなく丸棒でも差し支えない。この場合、係合保持辺１６Ａに吊し網１４の縦桟或いは上下何れか一本の横桟に保持可能な保持辺を設け、この保持片を吊し網１４の縦桟或いは上下どちらか一方の横桟に保持させれば、係合保持辺１６Ａの回転は防止されて商品２０を引っかけて吊すことが可能となる。
【００３９】
更に、実施例ではラック１２、６２を網状に構成したが、それに限らず、透明なアクリル板（透明板）などで構成してもよく、また、実施例のラック１２、６２の内側に透明板を取り付けてもよい。その場合には、機械室からの廃熱をより円滑に上昇させることが可能となる。
【００４０】
【発明の効果】
以上詳述した如く本発明によれば、商品を冷却しながら陳列する陳列室内を透視可能な透明壁を備えた低温ショーケースにおいて、透明壁の外側に、商品を陳列する透視可能なラックを着脱可能に取り付けているので、冷却を必要としない商品をラックに陳列することにより、商品の陳列効率を大幅に向上させることが可能となる。
【００４１】
これにより、限られた店舗内スペースで商品の陳列スペースを拡大することができるようになると共に、ラックは低温ショーケースに着脱可能に取り付けられるので、既存の低温ショーケースにも比較的簡単に取り付けることが可能となり、ラックの汎用性大なるものである。
【００４２】
特に、ラックを透視可能に構成しているので、ラック側から透明壁を介して低温ショーケースの陳列室内が透視可能となる。従って、低温ショーケースの陳列室内に陳列した商品の陳列効果にも支障は生じないものである。
【００４３】
また、請求項２の発明によれば、上記に加えて、陳列室の下方に機械室を備え、ラックを透明壁と間隔を存して取り付けると共に、機械室からの廃熱を透明壁とラック間に流すようにしているので、機械室からの廃熱を透明壁とラック間を通して円滑に上昇させ、廃棄することができるようになる。これにより、機械室内の温度上昇を回避し、冷却能力の改善を図ることが可能となる。また、透明壁外面への結露や曇り等も防止することができるようになり、陳列室内の視認性も向上させることができるものである。
【００４４】
更に、請求項３の発明によれば、請求項２に加えて、透明壁とラックの双方に着脱可能に係合するスペーサを備えているので、スペーサを透明壁とラックの双方に係合させるだけの簡単な作業で低温ショーケースの透明壁外側にラックを取り付けることができる。これにより、透明壁とラックの間隔を容易且つ確実に保持することが可能となると共に、ラックの着脱も容易に行うことができるようになるものである。
【００４５】
更にまた、請求項４の発明によれば、上記各発明に加えて、ラックに着脱可能に係合して商品を吊り下げるためのフックを備えているので、ラックに対するフックの取付位置を容易に変更することができるようになる。これにより、商品の寸法に合わせてフック位置を変更することが可能となり、限られた店舗内のスペースを極めて有効に活用して、販売ロスを軽減することができるようになるものである。
【図面の簡単な説明】
【図１】本発明を適用した実施例の低温ショーケースの斜視図である。
【図２】図１の低温ショーケースに商品を吊り下げた状態を示す図である。
【図３】図１の低温ショーケースの縦断正面図である。
【図４】本発明を適用した他の実施例の低温ショーケースの斜視図である。
【図５】図４の低温ショーケースに商品を吊り下げた状態を示す図である。
【符号の説明】
１、１Ａ　低温ショーケース
２、５２　陳列室
２Ａ、５２Ａ　陳列棚
３、５３　機械室
４、５４　ダクトボックス
４Ａ、５４Ａ　排気孔
６　側板（透明壁）
６Ａ　フレーム
１０、６０　ラック枠支持孔
１２、６２　ラック
１３、６３　支持枠
１４、６４　吊し網
１５　スペーサ
１５Ａ　係合保持部
１６　フック
１６Ａ　係合保持辺
１６Ｂ　傾斜辺
２０　商品
５６　透明壁
【図１】
2004105619.tif 000003
【図２】
2004105619.tif 000004
【図３】
2004105619.tif 000005
【図４】
2004105619.tif 000006
【図５】
2004105619.tif 000007